(57)【要約】【課題】本発明は、表示効果を昇格する表示パネルモジュールを提供することである。【解決手段】本発明に係わる表示パネルモジュールは、表示パネルと、第一殻体と、アディション素子と、貼り付け素子及び第二殻体を備え、前記貼り付け素子の一つの面は、前記第一殻体に貼り付け、他の一つの面は、前記表示パネルに貼り付け、前記第一殻体と前記第二殻体が互いに接合して、前記表示パネルを前記第一殻体と前記第二殻体の中に固定し、前記貼り付け素子は、通気構造を更に備え、前記表示パネルと前記アディション素子との間に位置する中空領域が外界と空気を流通することにして、前記中空領域の圧力と外界圧力との間に圧力差が存在するため、前記アディション素子が窪むことになる問題を解決する。【選択図】図４
2008097012.tif 000002
【特許請求の範囲】
【請求項１】
表示パネルと、第一殻体と、第一貼り付け素子及び第二殻体を備え、前記第一貼り付け素子の一つの面は、前記第一殻体に貼り付け、他の一つの面は、前記表示パネルに貼り付け、前記第一貼り付け素子は、通気構造を更に備え、前記第一殻体と前記第二殻体が互いに接合して、前記表示パネルを前記第一殻体と前記第二殻体の中に固定することを特徴とする表示パネルモジュール。
【請求項２】
前記通気構造は、前記第一貼り付け素子の一つの側辺から前記表示パネルの辺縁又は前記表示パネルの辺縁を超えるまで引き伸ばす切口であることを特徴とする請求項１に記載の表示パネルモジュール。
【請求項３】
前記通気構造は、前記表示パネルと対向する前記第一貼り付け素子の一つの面に位置し、前記表示パネルの一つの側辺から前記表示パネルの辺縁又は前記表示パネルの辺縁を超えるまで引き伸ばすゴムがない領域であることを特徴とする請求項１に記載の表示パネルモジュール。
【請求項４】
前記通気構造は、前記表示パネルと対向する前記第一貼り付け素子の一つの面又は前記第一殻体と対向する前記第一貼り付け素子の一つの面に位置し、前記第一貼り付け素子を跨って設置するゴムがない領域であることを特徴とする請求項１に記載の表示パネルモジュール。
【請求項５】
前記通気構造は、前記第一貼り付け素子及びゴムがない領域を貫く一つの通気孔を備え、前記通気孔は、前記表示パネルの辺縁に位置し、前記ゴムがない領域は、前記第一殻体と対向する前記第一貼り付け素子の一つの面に位置し、且つ前記第一貼り付け素子の一つの側辺から前記表示パネルの辺縁又は前記表示パネルの辺縁を超えるまで引き伸ばすことを特徴とする請求項１に記載の表示パネルモジュール。
【請求項６】
前記通気構造は、前記第一貼り付け素子及びゴムがない領域を貫く一つの通気孔を備え、前記通気孔は、前記表示パネルの辺縁に位置し、前記ゴムがない領域は、前記第一殻体と対向する前記第一貼り付け素子の一つの面に位置し、且つ前記第一貼り付け素子を跨ることを特徴とする請求項１に記載の表示パネルモジュール。
【請求項７】
アディション素子及び第二貼り付け素子を更に備え、前記アディション素子は、前記第一殻体の上に位置し、前記第二貼り付け素子の一つの面は、前記第一殻体に貼り付け、他の一つの面は、前記アディション素子に貼り付け、前記第二貼り付け素子は、他の通気構造を更に備え、前記通気構造はゴムがない領域であって、前記ゴムがない領域は、前記第二貼り付け素子を跨ることを特徴とする請求項１に記載の表示パネルモジュール。
【請求項８】
請求項１に記載の表示パネルモジュールと、
前記表示パネルモジュールに電気接続し、前記表示パネルモジュールの影像の表れを制御するコントローラーと、
を備えることを特徴とする電子装置。
【発明の詳細な説明】
【技術分野】
【０００１】
本発明は、表示パネルモジュールに関するものであり、特にロー・コスト且つ表示効果を昇格する表示パネルモジュール関するものである。
【背景技術】
【０００２】
図１は、従来の液晶表示パネルモジュール１の構成を示す分解図である。第一殻体１１と第二殻体１２の二つの対応する側辺を互いに埋め込み合わせて、液晶表示パネル１０とバックライト装置１５を其の中に固定する。前記バックライト装置１５は、前記液晶表示パネル１０と前記第二殻体１２との間に設置され、光線を提供することに用いられ、且つ前記光線が前記液晶表示パネル１０を透過することにより、前記表示パネル１０が影像を表示する。前記第一殻体１１は、一つの中空領域１１０を備え、前記中空領域１１０は、前記液晶表示パネル１０の表示領域１００に対応する。前記液晶表示パネル１０を固定するために、従来の液晶表示パネルモジュール１は、両面ゴムバンド１３を提供する。前記ゴムバンド１３は、前記液晶表示パネル１０の周囲と前記第一殻体１１との間に設置され、図２及び図３を一緒に参照すると、前記両面ゴムバンド１３の両面は、皆粘着性有するため、其の一つの面は前記第一殻体１１の内側面に貼り付け、他の一つの面は、前記液晶表示パネル１０の周囲に貼り付け、前記液晶表示パネル１０を前記第一殻体１１に対向して固定する。
【０００３】
上述の液晶表示パネルモジュール１は、安定で堅固な構造を有するが、従来の液晶表示パネルモジュール１は、機能を増進するために、前記第一殻体１１の上方に、他のアディション素子１６を更に加え、例えば、タッチパネル、保護鏡又は保護フィルムなでであって、他の両面ゴムバンド１７を介して、前記アディション素子１６を前記第一殻体１１の上に貼り付ける。前記両面ゴムバンド１７の一つの面は、前記第一殻体１１の外側面に貼り付け、他の一つの面は、前記アディション素子１６の周囲に貼り付けるため、前記液晶表示パネル１０を完全に密封し、前記液晶表示パネル１０が傷を受けることを免れ、又は前記液晶表示パネル１０と前記アディション素子１６との間に粉塵が進むことを免れる。しかし、前記液晶パネル１０が完全に密封されるため、前記液晶表示パネルモジュール１が高空低圧状態に在る時、前記中空領域１１０と外部との間に圧力差が生じ、前記中空領域１１０に負圧又は真空状態が現れ、前記アディション素子１６に窪む現象が発生し、甚だ前記アディション素子１６が前記液晶表示パネル１０の表面に接触するか粘着して、表示状況が悪くなり、この問題を改善しなければならない。
【発明の開示】
【発明が解決しようとする課題】
【０００４】
本発明の目的は、前記問題を解決し、表示効果を昇格する表示パネルモジュールを提供することである。
【課題を解決するための手段】
【０００５】
前記目的を達成するため、本発明に係わる表示パネルモジュールは、表示パネルと、中空領域を有する第一殻体と、前記第一殻体の上に位置するアディション素子と、第一貼り付け素子及び第二殻体を備え、前記第一貼り付け素子の一つの面は前記第一殻体に貼り付け、他の一つの面は、前記表示パネルに貼り付け、前記第一貼り付け素子は、通気構造を更に備え、前記第一殻体と前記第二殻体が互いに接合して、前記表示パネルを前記第一殻体と前記第二殻体の中に固定する。
【０００６】
前記通気構造は、切口であって、前記切口は、前記第一貼り付け素子の一つの側辺から前記表示パネルの辺縁まで引き伸ばし、前記表示パネルと前記第一殻体との間に位置する中空領域の負圧を解除したり、又は真空を破れる。
【０００７】
前記通気構造は、ゴムがない領域であって、前記ゴムがない領域は、前記表示パネルと対向する前記第一貼り付け素子の一つの面に位置し、前記ゴムがない領域は、前記表示パネルの一つの側辺から前記表示パネルの辺縁まで引き伸ばしたり、又は前記第一貼り付け素子を跨って設置し、前記表示パネルと前記第一殻体との間に位置する中空領域の圧力を平衡して、負圧が生じないことにする。
【発明の効果】
【０００８】
本発明に係る表示パネルモジュールの第一貼り付け素子の通気構造によって、前記中空領域の圧力が平衡を獲得する。
【発明を実施するための最良の形態】
【０００９】
以下、図面を参照しながら、具体的な実施例を詳しく説明し、これにより、本発明の上述の目的と他の目的、特徴及び長所が、より容易に理解できる。
【００１０】
図４を参照してください、本発明の表示パネルモジュール２は、表示パネル２０と、第一殻体２１と、フレーム２４と、第二殻体２２及びアディション素子２６からなる。前記フレーム２４は、前記表示パネル２０の周囲に設置され、前記表示パネル２０の周囲を巡り、前記表示パネルモジュール２の構造を強化することに用いられるが、これに限定されるものではなく、好ましくは、前記表示パネル２０は、液晶表示パネルであって、前記液晶表示パネルの需要に配合し、前記表示パネルモジュール２は、前記表示パネル２０と前記第二殻体２２との間に位置する光源モジュール２５を更に備え、光線を提供することに用いられ、且つ前記光線が前記表示パネル２０を透過することにより、前記表示パネル２０が影像を表示する。
【００１１】
続いて、前記第一殻体２１と前記第二殻体２２が互いに接合し、好ましくは、前記第一殻体２１と前記第二殻体２２の二つの辺フレームを互いに埋め込み合わせて、前記表示パネル２０と前記フレーム２４を前記第一殻体２１と前記第二殻体２２の中に固定する。前記第一殻体２１は、一つの中空領域２１０を備え、前記中空領域２１０は、前記表示パネル２０の表示領域２００の上に対応的に設置され、前記中空領域２１０によって、使用者は、前記表示パネル２０の表示領域２００の表示内容（図に示していない）見ることができる。配合する前記表示パネル２０の需要（前記表示パネル２０は、透過タイプ又は両面表示タイプの表示パネルであることができる）に基づいて、前記第二殻体２２も一つの中空領域（図に示していない）備えることができ、前記第二殻体２２の中空領域は、前記表示パネル２０の他の表示領域（図に示していない）に対応的に設置され、使用者は、前記表示パネル２０の他の表示領域の表示内容（図に示していない）を見ることができる。
【００１２】
本発明の表示パネルモジュール２は、第一貼り付け素子２３を更に備え、前記第一貼り付け素子２３の一つの面は、前記第一殻体２１の内側に貼り付け、他の一つの面は、前記表示パネル２０の周囲に貼り付け、前記第一貼り付け素子２３は、通気構造２３０を更に備え、前記通気構造２３０は、前記中空領域２１０の圧力が平衡を獲得することに用いられ、前記中空領域２３０の圧力は、外界圧力を介して互いに調節することができ、従って前記中空領域２１０の圧力と外界圧力との間に圧力差が生じるため、前記アディション素子２６に窪む現象が発生すること免れる。前記通気構造２３０の実施形態をいっそう詳しく説明するために、以下、本発明は幾つの実施例を提供する。
【００１３】
図５と図６は、別々に本発明の第一実施例に係る通気構造の俯瞰図と断面図である。本実施形態に係る通気構造２３０は、一つの切口２３１であって、図５に示すように、前記切口２３１は、前記第一貼り付け素子２３の一つの内側辺から前記表示パネル２０の辺縁２０ａを越えるまでに引き伸ばし、前記切口２３１は、前記第一貼り付け素子２３に罅を生じさせ、前記第一殻体２１と前記表示パネル２０との間に前記第一貼り付け素子２３を貼り付ける時、前記切口２３１によって、前記中空領域２１０は、依然として外界と空気を流通することができ、空気が通気する方向は、図６に示す曲線矢印の方向と一致する。
【００１４】
図７は、本発明の第二実施例に係る通気構造の俯瞰図である。本実施形態に係る通気構造２３０は、ゴムがない領域２３３であって、図７に示すように、前記ゴムがない領域２３３は、前記表示パネル２０と対向する前記第一貼り付け素子２３の一つの面に位置し、本実施例において、前記ゴムがない領域２３３は、前記第一貼り付け素子２３の一つの内側辺から前記表示パネル２０の辺縁を越えるまでに引き伸ばし、前記ゴムがない領域２３３にゴムが存在しないため、前記表示パネル２０に前記第一貼り付け素子２３を貼り付ける時、一つの通気空間を提供し、従って前記ゴムがない領域２３３によって、前記中空領域２１０は、依然として外界と空気を流通することができる。
【００１５】
図８に示すように、上述の実施例に係るゴムがない領域２３３は、前記第一貼り付け素子２３を跨って設置することができ、従って前記中空領域２１０の圧力は外界圧力を介して互いに調節することができ、又は前記ゴムがない領域２３３を前記第一殻体２１と対向する前記第一貼り付け素子２３の一つの面（図に示していない）に設置する。
【００１６】
図９は、本発明の第三実施例に係る通気構造の俯瞰図である。本実施例に係る通気構造２３０は、前記第一貼り付け素子２３及びゴムがない領域２３４を貫く一つの通気孔２３２であって、図９に示すように、前記通気孔２３２は、前記表示パネル２０の辺縁に位置し、好ましくは、前記表示パネル２０と前記フレーム２４との間に前記通気孔２３２を設置し、前記通気孔２３２によって、前記第一貼り付け素子２３に細い孔を生じ、前記第一殻体２１と前記表示パネル２０との間に前記第一貼り付け素子２３を貼り付ける時、外界の空気は、依然として前記通気孔２３２を介して、前記ゴムがない領域２３４及び前記中空領域２１０と流通することができる。
【００１７】
図１０と図１１を同時に参照してください、本実施例において、上述と同じな素子は、ここで再び述べなく、上述と異なった点は、通気構造が前記第二貼り付け素子２７に存在することであって、前記第二貼り付け素子２７は、前記第一殻体２１と前記アディション素子２６の周囲に貼り付け、前記通気構造は、一つのゴムがない領域２３３であって、図１０に示すように、前記ゴムがない領域２３３は、前記第二貼り付け素子２７を跨って、其の空気の通気方向は、図１１の矢印によって示し、前記中空領域２１０は、同様に外界と空気を流通することができる。
【００１８】
図１２を参照してください、上述の実施例に係る表示パネルモジュール５０１は、電子装置５００に応用することができ、前記電子装置５００は、携帯装置であることができ、例えば、ＰＤＡ、ノートパソコン（ｎｏｔｅｂｏｏｋ  ｃｏｍｐｕｔｅｒ）、タブレットコンピュータ（ｔａｂｌｅｔ  ｃｏｍｐｕｔｅｒ）、ラップトップコンピュータ（ｌａｐｔｏｐ  ｃｏｍｐｕｔｅｒ）、携帯電話、表示スクリーン装置、液晶表示装置、又は携帯することができないデスクトップパソコンなどであって、前記電子装置５００は、コントローラー５０３を更に備え、前記表示パネルモジュール５０１に電気接続し、前記表示パネルモジュール５０１の影像の表れを制御する。
【００１９】
上述したように、本発明の実施例において、貼り付け素子を利用して通気構造を提供することにより、表示パネルに非真空状態を形成し、前記表示パネルと前記アディション素子との間に位置する中空領域の圧力と外界圧力との間に存在する圧力差を解決し、前記アディション素子が窪むことを免れ、且つ実験の結果に基づいて、上述の実施例に係るゴムがない領域は、空気が流通する効果を生じることができるが、前記ゴム層の厚さが非常に薄いため、真空を破壊した状態及び圧力平衡状態であっても、異物（例えば、粉塵である）が前記中空領域に進み、表示パネルを影響することを免れることができ、従って、基本的に防塵の効果に達することができる。本発明の技術は、ただ液晶表示パネルモジュールに応用することに限定されるものではなく、他のタイプの表示パネル（例えば、有機発光ダイオード表示パネル、ＯＬＥＤ）も実施することができる。
【００２０】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００２１】
【図１】従来の液晶表示パネルモジュールの構成を示す分解図である。
【図２】従来の液晶表示パネルモジュールにおいて、両面ゴムバンドを応用して液晶表示パネルをパッケージする状態を示す俯瞰図である。
【図３】図１のＡ−Ａ’線に沿った断面図である。
【図４】本発明の表示パネルモジュールの構成を示す分解図である。
【図５】本発明の第一実施例に係る表示パネルモジュールの通気構造の部位を示す俯瞰図である。
【図６】本発明の第一実施例において、図４のＡ−Ａ’線に沿った断面図である。
【図７】本発明の第二実施例に係る表示パネルモジュールの通気構造の部位を示す俯瞰図である。
【図８】本発明の第二実施例に係る表示パネルモジュールの他の通気構造の部位を示す俯瞰図である。
【図９】本発明の第三実施例に係る表示パネルモジュールの通気構造の部位を示す俯瞰図である。
【図１０】本発明の第四実施例に係る表示パネルモジュールの通気構造の部位を示す俯瞰図である。
【図１１】本発明の第四実施例において、図４のＡ−Ａ’線に沿った断面図である。
【図１２】本発明の表示パネルモジュールを電子装置に応用する機能ブロック図である。
【符号の説明】
【００２２】
１  液晶表示パネルモジュール
２、５０１  表示パネルモジュール
１０  液晶表示パネル
１１、２１  第一殻体
１２、２２  第二殻体
１３、１７  両面ゴムバンド
１５  バックライト装置
１６、２６  アディション素子
２０  表示パネル
２０ａ  表示パネルの辺縁
２３  第一貼り付け素子
２４  フレーム
２５  光源装置
２７  第二貼り付け素子
１００、２００  表示領域
１１０、２１０  中空領域
２３１  切口
２３２  通気孔
２３３、２３４  ゴムがない領域
５００  電子装置
５０３  コントローラー
【図１】
2008097012.tif 000003
【図２】
2008097012.tif 000004
【図３】
2008097012.tif 000005
【図４】
2008097012.tif 000006
【図５】
2008097012.tif 000007
【図６】
2008097012.tif 000008
【図７】
2008097012.tif 000009
【図８】
2008097012.tif 000010
【図９】
2008097012.tif 000011
【図１０】
2008097012.tif 000012
【図１１】
2008097012.tif 000013
【図１２】
2008097012.tif 000014